(57)【要約】【課題】簡単な操作により迅速に希望の番組を探し出し、何時ごろどのぐらいの時間で放送されるかが直感的に分かるように表示すること。【解決手段】番組の放送を受信する受信部と、受信部で受信された番組情報を蓄積する蓄積部と、蓄積部からの番組情報に基づいて番組情報を時間順に配列して電子番組表を作成する作成部と、作成部からの出力で電子番組表を表示する表示部と、を備えた電子番組表表示装置であって、作成部は、狭い時間幅の時間軸２３と、狭い時間幅の時間に継続する広い時間幅の時間軸２４と、からなる２次元の時間軸を形成し、２次元時間軸上に或る一つのチャンネル２０の番組情報２５について、連続して番組情報を作成すること。これによって、連続的に長い時間に亘って番組情報を連続表示することができ、必要な番組情報を容易に探し出すことができる。【選択図】        図２
2004221859.tif 000002
【特許請求の範囲】
【請求項１】
番組の放送を受信する受信部と、前記受信部で受信された番組情報を蓄積する蓄積部と、前記蓄積部からの番組情報に基づいて番組情報を時間順に配列して電子番組表を作成する作成部と、前記作成部からの出力で電子番組表を表示する表示部と、を備えた電子番組表表示装置であって、
前記作成部は、狭い時間幅の時間軸と、前記狭い時間幅の時間に継続する広い時間幅の時間軸と、からなる２次元の時間軸を形成し、前記２次元時間軸上に或る一つのチャンネルの番組情報について、連続して番組情報を作成する
ことを特徴とする電子番組表表示装置。
【請求項２】
請求項１において、
前記或る広い時間幅に形成された狭い時間幅の時間軸上に、或る一つの番組情報をまとめて作成できない場合には、次の段の広い時間幅に形成された狭い時間幅の時間軸上に同一の番組情報を作成する
ことを特徴とする電子番組表表示装置。
【請求項３】
番組の放送を受信する受信部と、前記受信部で受信された番組情報を蓄積する蓄積部と、前記蓄積部からの番組情報に基づいて番組情報を時間順に配列して電子番組表を作成する作成部と、前記作成部からの出力で電子番組表を表示する表示部と、を備えた電子番組表表示装置であって、
前記作成部は、狭い時間幅の時間軸と、前記狭い時間幅を有する連続する翌日の広い時間幅の時間軸と、からなる２次元の時間軸を形成し、前記２次元時間軸上に或る一つのチャンネルの番組情報について、同一の狭い時間幅に放送される連続する翌日の番組情報を作成する
ことを特徴とする電子番組表表示装置。
【請求項４】
番組の放送を受信する受信部と、前記受信部で受信された番組情報を蓄積する蓄積部と、前記蓄積部からの番組情報に基づいて番組情報を時間順に配列して電子番組表を作成する作成部と、前記作成部からの出力で電子番組表を表示する表示部と、を備えた電子番組表表示装置であって、
前記作成部は、狭い時間幅の時間軸と、前記狭い時間幅を有する連続する翌週の広い時間幅の時間軸と、からなる２次元の時間軸を形成し、前記２次元時間軸上に或る一つのチャンネルの番組情報について、同一の狭い時間幅に放送される連続する翌週の番組情報を作成する
ことを特徴とする電子番組表表示装置。
【請求項５】
請求項１ないし４のいずれか１つの請求項に記載の電子番組表表示装置を備えたテレビジョン受信機。
【発明の詳細な説明】
【０００１】
【発明の属する技術分野】
本発明は、放送における番組情報を表示するための電子番組情報表示装置及びこの表示装置を備えたテレビジョン受信機に関する。
【０００２】
【従来の技術】
現在、テレビ番組の放送予定は、新聞や雑誌等によって、視聴者に知らされている。ところで、新聞や雑誌の代替となるものとして、ＥＰＧ（Ｅｌｅｃｔｒｉｃａｌ  Ｐｒｏｇｒａｍ  Ｇｕｉｄｅ：電子番組表）というものが提案されており、将来的には、そのＥＰＧをも利用して、テレビ番組の放送予定が視聴者に知らされることになる。
【０００３】
ＥＰＧは、テレビ放送局等から送信されるものであって、現在の新聞や雑誌等に記載されているようなテレビ番組の放送予定のデータであり、番組の放送予定日、時間帯、チャンネル、番組名、出演者、番組に関する詳細情報等が各番組毎に記載されたものである。その情報の視聴者への提示方法は主に、チャンネル軸と時間軸の２次元上に番組を配置するものや、視聴者が選択した条件により単に順番に番組名をならべるなどの方法がある。
【０００４】
【発明が解決しようとする課題】
しかし、テレビなどのように限られた表示領域内では多くの情報を表示することが難しく、必要な番組情報を得るためには視聴者の操作などによりその番組があると思われる場所を探さなくてはならないが、その時は通常或るチャンネルについて調べることが多く時間軸方向に移動することになり、一度に表示できる時間軸が少ないと、移動させる操作が多く煩雑になるという課題がある。
【０００５】
また、選択した条件により番組をならべる場合などは、必要な条件を入力しなければならなず、そして、単に番組名が順に並んだだけではいつ頃どのくらいの時間放送されるかが直感的に分かりにくいといった課題があった。
【０００６】
本発明の目的は、以上の課題を解決するために、簡単な操作により迅速に希望の番組を探し出し、何時ごろどのぐらいの時間で放送されるかを直感的に分かるようにした番組表示装置を提供することにある。
【０００７】
【課題を解決するための手段】
前記課題を解決するために、本発明は次のような構成を採用する。
番組の放送を受信する受信部と、前記受信部で受信された番組情報を蓄積する蓄積部と、前記蓄積部からの番組情報に基づいて番組情報を時間順に配列して電子番組表を作成する作成部と、前記作成部からの出力で電子番組表を表示する表示部と、を備えた電子番組表表示装置であって、
前記作成部は、狭い時間幅の時間軸と、前記狭い時間幅の時間に継続する広い時間幅の時間軸と、からなる２次元の時間軸を形成し、前記２次元時間軸上に或る一つのチャンネルの番組情報について、連続して番組情報を作成する構成とする。
【０００８】
また、前記作成部は、狭い時間幅の時間軸と、前記狭い時間幅を有する連続する翌日の広い時間幅の時間軸と、からなる２次元の時間軸を形成し、前記２次元時間軸上に或る一つのチャンネルの番組情報について、同一の狭い時間幅に放送される連続する翌日の番組情報を作成する構成とする。
【０００９】
また、前記作成部は、狭い時間幅の時間軸と、前記狭い時間幅を有する連続する翌週の広い時間幅の時間軸と、からなる２次元の時間軸を形成し、前記２次元時間軸上に或る一つのチャンネルの番組情報について、同一の狭い時間幅に放送される連続する翌週の番組情報を作成する構成とする。
【００１０】
本発明は、このような構成を採用することによって、連続的に長い時間に亘って番組情報を連続表示することができ、必要な番組情報を容易に探し出すことができる。また、広い時間軸を狭い時間軸から連続するのではなく、翌日の同一時間まで時間を進めることで、同一時間に行なわれている他の日の番組情報を容易に得ることができる。更に、翌週の同一曜日の同一時間まで時間を進めることで、同一曜日の同一時間に行なわれている番組情報を容易に得ることができる。
【００１１】
【発明の実施の形態】
本発明の実施形態に係る電子番組表表示装置について、図１〜図５を参照しながら以下説明する。ここで、図１は本発明の実施形態に関する衛星ディジタル放送受信機の構成を示すブロック図であり、図２は本発明の実施形態に係る番組情報の画面表示例を示す図であり、図３は本発明の実施形態に係る番組情報の画面表示における動作態様のフローチャートである。また、図４は本発明の実施形態に係る番組情報の他の画面表示例を示す図であり、図５は本発明の実施形態に係る番組情報の更に他の画面表示例を示す図である。
【００１２】
図１において、チューナ１０は、受信されたデジタル多チャンネル放送の信号を復調してベースバンドのビットストリーム信号を生成する。チューナ部１０より出力されたビットストリーム信号は、多重分離部１１に入力される。多重分離部１１は、複数の番組（映像情報）や番組情報が多重化されているビットストリーム信号より、特定の映像情報ストリームや特定の番組情報ストリームを分離する。なお、有料番組であれば、一般的にはスクランブルがかかっているので、多重分離部１１は、デスクランブル処理も行う。
【００１３】
多重分離部１１より出力された映像情報ストリームは映像デコード部１２に入力され、また、多重分離部１１より出力された番組情報ストリームは番組情報蓄積部１４に入力され、蓄積される。映像デコード部１２は、入力された映像情報ストリームを処理して、表示フォーマットに応じた映像信号を生成する。映像デコード部１２から出力された映像信号は表示装置１３に供給する。
【００１４】
また、入力部１７からユーザによる指示で電子番組表の表示要求がマイコン部１８に入力され、番組情報蓄積部１４に入力された番組情報から番組表を表示するために必要なデータを番組情報検索部１５に入力される。番組情報検索部１５では入力された番組情報に基づいて容易に番組検索できるように番組情報を加工したり、表示サイズに応じた時間配列を演算し、表示すべきて番組表のデータを作成する。次に、番組情報検索部１５の出力を番組表作成部１６に入力し、番組情報作成部１６において表示装置１３に表示できるように処理して表示装置１３に送出する。
【００１５】
図２は本発明の実施形態に係る電子番組表の画面表示例を示す。図２に示す電子番組表はチャンネル番号１０３の８月３１日から開始される番組表であり、９：００  から翌日の９：００までの番組情報を表示していることを示す。
【００１６】
番組表上部には番組表を表示しているチャンネルである１０３チャンネルの番号を表示するエリア２０がある。また、番組表中の選ばれている番組の詳細な情報を示すエリア２１がある。また、日付がわかるようにエリア２２に番組表に表示中の日付を表示する。
【００１７】
そして、エリア２３に狭い時間軸の目盛として先頭からの経過時間を表示する。また、エリア２４に広い時間軸の長さとして、その段に表示されている番組表の開始時間と終了時間を表示する。ここで、エリア２３は番組情報を配置するための狭い時間軸であり、エリア２４はその狭い時間軸に継続する広い時間軸となっている。実際に番組情報を２つの連続した時間軸上エリア２５に表示することで、「このあとこのチャンネルで映画がいつ頃放送されるのか」、「今放送されているている番組の再放送が次にいつ放送されるか」などが直感的に把握することができる。
【００１８】
図３はこの番組表を表示するための処理のフローチャートである。番組表表示要求３０が発生すると表示する必要のあるチャンネルを検索３１する。次に、番組表に表示する時間に放送される番組を検索３２する。その検索された番組の終了時間を計算して開始時間と同じ段に表示可能か否かを判断３４し、可能ならばその番組を番組表に配置３５する。そして、次の番組を検索するために要求する時間を変更３６して、次の番組の検索３２を再び行なう。
【００１９】
また、同じ段に表示可能でないと判断された番組は表示可能な分までを配置３７し、次の段がまだ画面表示内に配置できるか否かを判断３８し、可能ならば次の段にその番組の続きを配置３９して（図２の例で云えば、２：００から始まった番組「カサブランカ」は３：００まで放送されるとともに、次の段の３：００から５：００まで放送されることを番組表で表示する）、次の番組を検索するために要求時間を変更３６し再度番組を検索する。また、画面表示内に配置できないと判断３８された場合、そこで処理を終了４０とする。
【００２０】
図３に示す上述した処理フローは、図１に示す番組情報検索部１５で実行されるものとして記述した。なお、図３の処理フローが番組情報検索部１５のみで実行されることに代えて、番組情報検索部１５と番組表作成部１６で実行されるように機能分担しても良い。要は、番組情報蓄積部１４から必要情報を取得して、図２、図４又は図５の番組表を表示装置１３に表示できるように情報を処理加工する機能を奏するものであれば良いのである。
【００２１】
図４は本発明の実施形態に係る電子番組表の他の画面表示例を示す。図４に示す電子番組表はチャンネル番号１０３の８月３１日から開始される番組表であり、１８：００  から２１：００  までの時間の番組情報を９月７日まで表示していることを示す。
【００２２】
番組表上部には番組表を表示しているチャンネルである１０３チャンネルの番号を表示するエリア４１がある。つぎに、番組表中の選ばれている番組の詳細な情報を示すエリア４２がある。また、番組表が開始されている日付がわかるようにエリア４３に番組表に表示中の先頭の日付を表示する。
【００２３】
そして、エリア４４に狭い時間軸のメモリとして番組表を表示している時間を表示する。また、エリア４５に広い時間軸の表示内容として、その段に表示されている番組表の日付を表示する。実際に番組情報を日付の違う２つの時間軸上エリア２５に表示することで、「明日の同じ時間にどのような番組が行われているのか」などが直感的に把握することができる。
【００２４】
図５は本発明の実施形態に係る電子番組表の更に他の画面表示例を示す。図５に示す電子番組表はチャンネル番号１０３の８月３１日から開始される番組表であり、１８：００  から２１：００までの同じ曜日の番組情報を９月２８日までを表示していることを示す。
【００２５】
番組表上部には番組表を表示しているチャンネルである１０３チャンネルの番号を表示するエリア５１がある。つぎに、番組表中の選ばれている番組の詳細な情報を示すエリア５２がある。また、番組表が開始されている日付がわかるようにエリア５３に番組表に表示中の先頭の日付を表示する。
【００２６】
そして、エリア５４に狭い時間軸のメモリとして番組表を表示している時間を表示する。また、エリア５５に広い時間軸の表示内容として、その段に表示されている番組表の日付を表示する。実際に番組情報を日付の違う２つの時間軸上エリア２５に表示することで、「来週の同じ時間にどのような番組が行われているのか」、「毎週放送されているはずのこの番組は放送しない日があるのか」などが直感的に把握することができる。
【００２７】
【発明の効果】
本発明によれば、電子番組表表示装置において、狭い時間軸と広い時間軸の二つの軸による２次元上に番組を配置することで、任意のチャンネルで放送されている番組の情報を取得するために、頻繁又は長時間のスクロール操作をすることなく目的とする番組を検索することができる。
【図面の簡単な説明】
【図１】本発明の実施形態に関する衛星ディジタル放送受信機の構成を示すブロック図である。
【図２】本発明の実施形態に係る番組情報の画面表示例を示す図である。
【図３】本発明の実施形態に係る番組情報の画面表示における動作態様のフローチャートである。
【図４】本発明の実施形態に係る番組情報の他の画面表示例を示す図である。
【図５】本発明の実施形態に係る番組情報の更に他の画面表示例を示す図である。
【符号の説明】
１０  チューナ部
１１  多重分離部
１２  映像デコード部
１３  表示装置
１４  番組情報蓄積部
１５  番組情報検索部
１６  番組表作成部
１７  入力部
１８  マイコン部
２０，４１，５１  表示チャンネル番号
２１，４２，５２  選択番組タイトル
２２，４３，５３  表示開始日付
２３  横軸時間経過
２４，４４，５４  表示中時間
２５，４６，５６  番組一覧
４５，５５  表示日付
【図１】
2004221859.tif 000003
【図２】
2004221859.tif 000004
【図３】
2004221859.tif 000005
【図４】
2004221859.tif 000006
【図５】
2004221859.tif 000007